(57)【特許請求の範囲】
【請求項１】
断面扁平形状を有し、内部に流体が流れる複数本のチューブ（１）と、前記チューブ（１）の扁平面（１０）に接合されて前記チューブ（１）周りを流れる空気との熱交換面積を増大させるフィン（２）とを備える熱交換器であって、
前記チューブ（１）は、前記扁平面（１０）から外側に向かって突出する複数の外側突起部（１１）、および前記扁平面（１０）から内側に向かって突出する複数の内側突起部（１２）を有し、前記内側突起部（１２）の数が前記外側突起部（１１）の数よりも少なく、
前記内側突起部（１２）は、前記チューブ（１）における前記外側突起部（１１）が形成された部位の内側表面に対し、前記チューブ（１）の厚み方向に対向するように配置され、
前記チューブ（１）は前記扁平面（１０）が一対を成すように２つの前記扁平面（１０）を有し、
前記一対を成す扁平面（１０）のうちの一方の扁平面（１０）には前記外側突起部（１１）は設けられているが前記内側突起部（１２）は設けられておらず、他方の扁平面（１０）には前記内側突起部（１２）は設けられているが前記外側突起部（１１）は設けられていないことを特徴とする熱交換器。
【請求項２】
前記チューブ（１）内を流れる流体の流れ方向に並んだ前記内側突起部（１２）同士の間隔は、前記チューブ（１）内を流れる流体の流れ方向に並んだ前記外側突起部（１１）同士の間隔よりも広いことを特徴とする請求項１に記載の熱交換器。
【請求項３】
前記チューブ（１）内を流れる流体の流れ方向に並んだ前記内側突起部（１２）同士の間隔は、前記複数の内側突起部（１２）における前記チューブ（１）内を流れる流体の流れ方向の寸法の２倍以上であることを特徴とする請求項１または２に記載の熱交換器。
【発明の詳細な説明】
【技術分野】
【０００１】
本発明は、熱交換器に関するもので、例えば、車両空調用の熱交換器（冷媒放熱器、冷媒蒸発器、暖房用ヒータコア）等に用いて好適である。
【背景技術】
【０００２】
従来の熱交換器の代表的なものは、水や冷媒等の流体が流れる断面扁平状に形成された扁平チューブと、この扁平チューブの平坦面からなる扁平部（扁平面）に接合されるフィンとにより熱交換コア部が構成されている。
【０００３】
ところで、チューブの外側を流れる空気は、チューブの外壁面付近を流れる空気と、チューブの外壁面から離れて流れる空気とで、チューブ内を流れる流体の温度差が異なり、空気側に温度境界層が生ずる。これにより、チューブの外壁面から離れるに伴って、チューブの外側を流れる空気とチューブ内を流れる流体との温度差が拡大し、伝熱性能が低下するといった問題がある。
【０００４】
これに対して、例えば、特許文献１では、チューブの外壁面に沿って流れる空気を撹乱するために、チューブの外壁面に外側に突出する突起（外側突起部）を設けることで、チューブの外壁面に流れる空気の温度分布を均一化して、空気側における伝熱性能の低下の抑制を図っている。
【０００５】
また、特許文献１では、チューブ内を流れる流体を撹乱するために、チューブの内壁面に内側に突出する突起（内側突起部）を設けることで、チューブ内を流れる流体の温度分布を均一化して、流体側における伝熱性能の低下の抑制を図っている。なお、特許文献１では、外側突起部に対応して内側突起部をチューブの内壁面に均等に設ける構成としている（特許文献１の図１、図５参照）。
【先行技術文献】
【特許文献】
【０００６】
【特許文献１】特開平０５−３４０６８６号公報
【発明の概要】
【発明が解決しようとする課題】
【０００７】
しかしながら、特許文献１の如く、チューブの外壁面に対応して内側突起部を設ける場合、複数の内側突起部によって流体の圧力損失が増大するので、熱交換器を流れる流量の低下を招き、所望の性能を発揮することが困難となるといった問題がある。
【０００８】
本発明は上記点に鑑みて、熱交換器における伝熱性能の低下を抑制しつつ、チューブ内を流れる流体の圧力損失を低減することを目的とする。
【課題を解決するための手段】
【０００９】
上記目的を達成するため、請求項１に記載の発明では、断面扁平形状を有し、内部に流体が流れる複数本のチューブ（１）と、チューブ（１）の扁平面（１０）に接合されてチューブ（１）周りを流れる空気との熱交換面積を増大させるフィン（２）とを備える熱交換器であって、チューブ（１）は、扁平面（１０）から外側に向かって突出する複数の外側突起部（１１）、および扁平面（１０）から内側に向かって突出する複数の内側突起部（１２）を有し、内側突起部（１２）の数が外側突起部（１１）の数よりも少なく、内側突起部（１２）は、チューブ（１）における外側突起部（１１）が形成された部位の内側表面に対し、チューブ（１）の厚み方向に対向するように配置され、チューブ（１）は扁平面（１０）が一対を成すように２つの扁平面（１０）を有し、一対を成す扁平面（１０）のうちの一方の扁平面（１０）には外側突起部（１１）は設けられているが内側突起部（１２）は設けられておらず、他方の扁平面（１０）には内側突起部（１２）は設けられているが外側突起部（１１）は設けられていないことを特徴とする。
【００１０】
これによると、チューブ（１）の扁平面（１０）に複数の外側突起部（１１）および複数の内側突起部（１２）を設けているので、チューブ（１）の周りを流れる空気を撹乱させると共に、チューブ（１）内を流れる流体を撹乱させることができる。
【００１１】
加えて、内側突起部（１２）の数を外側突起部（１１）の数に比べて少ない構成としているので、従来のように外側突起部（１１）に対応して内側突起部（１２）を設ける構成に比べて、内側突起部（１２）によるチューブ（１）内を流れる流体の圧力損失を低減することができる。
【００１２】
従って、熱交換器における伝熱性能の低下を抑制しつつ、チューブ（１）内を流れる流体の圧力損失を低減することができる。
【００１３】
具体的には、請求項２に記載の発明のように、請求項１に記載の熱交換器において、チューブ（１）内を流れる流体の流れ方向に並んだ内側突起部（１２）同士の間隔を、チューブ（１）内を流れる流体の流れ方向に並んだ外側突起部（１１）同士の間隔よりも広くする構成とすることができる。
【００１４】
また、請求項３に記載の発明では、請求項１または２に記載の熱交換器において、チューブ（１）内を流れる流体の流れ方向に並んだ内側突起部（１２）同士の間隔は、複数の内側突起部（１２）におけるチューブ（１）内を流れる流体の流れ方向の寸法の２倍以上であることを特徴とする。
【００１５】
これによると、内側突起部（１２）によるチューブ（１）内を流れる流体の圧力損失を充分に低減することができる。
【００１６】
なお、この欄および特許請求の範囲で記載した各手段の括弧内の符号は、後述する実施形態に記載の具体的手段との対応関係を示すものである。
【図面の簡単な説明】
【００１７】
【図１】第１実施形態に係るヒータコアの正面図である。
【図２】第１実施形態に係るヒータコアの要部を示す斜視図である。
【図３】チューブ内を流れるエンジン冷却水の流れを説明する説明図である。
【図４】第１実施形態に係るヒータコアの要部を示す正面拡大図である。
【図５】図４のＡ−Ａ断面図である。
【図６】第１実施形態に係る外側突起部および内側突起部の配置形態を説明する説明図である。
【図７】エンジン冷却水の流体流れ方向に隣り合う内側突起部同士の間隔とチューブ内を流れるエンジン冷却水の渦度との関係を示す図表である。
【図８】エンジン冷却水の流体流れ方向に隣り合う内側突起部同士の間隔とチューブ内における圧力損失との関係を示す図表である。
【図９】エンジン冷却水の流体流れ方向に隣り合う内側突起部１２同士の間隔を説明する説明図である。
【図１０】第２実施形態に係る外側突起部および内側突起部の配置形態を説明する説明図である。
【図１１】第３実施形態に係る外側突起部および内側突起部の配置形態を説明する説明図である。
【図１２】外側突起部および内側突起部の形状の変形例を説明する説明図である。
【図１３】他の実施形態に係るヒータコアの要部を示す斜視図である。
【発明を実施するための形態】
【００１８】
以下、本発明の実施形態について図に基づいて説明する。なお、以下の各実施形態相互において、互いに同一もしくは均等である部分には、図中、同一符号を付してある。
【００１９】
（第１実施形態）
本発明の第１実施形態について図１〜図９に基づいて説明する。本実施形態は、本発明に係る熱交換器を、車両用空調装置の暖房用熱交換器であるヒータコアに適用したものであって、図１は本実施形態に係るヒータコアの正面図であり、図２は本実施形態に係るヒータコアの要部を示す斜視図である。
【００２０】
ヒータコアは、車両のエンジンの発熱により温められたエンジン冷却水（温水）と、車室内に送風する空気とを熱交換させて、車室内に送風する空気を加熱する加熱用熱交換器である。そして、ヒータコアには、エンジン冷却水回路（図示略）に設けられた水ポンプ（図示略）によりエンジン冷却水が供給されるとともに、ヒータコアに対して車両後方側に配置される送風ファン（図示略）により空気が供給される。
【００２１】
ヒータコアは、図１に示すように、エンジン冷却水（流体）が流れる複数本のチューブ１、チューブ１の外表面に接合されて車室内に送風する空気（チューブ周りを流れる空気）との伝熱面積（熱交換面積）を増大させてエンジン冷却水と空気の熱交換を促進するフィン２等からなる熱交換コア部を備えている。また、チューブ１の長手方向両端側にてチューブ１の長手方向（紙面左右方向）と直交する方向に延びて各チューブ１と連通するヘッダタンク３、並びに熱交換コア部の補強部材をなすサイドプレート（インサート）４等を備えている。
【００２２】
なお、本実施形態では、チューブ１、フィン２、ヘッダタンク３及びサイドプレート４を全て金属（例えば、アルミニウム合金）として、これらの部材１〜４をろう付けにて接合している。
【００２３】
図２に示すように、本実施形態のチューブ１は、内部（チューブ内）にエンジン冷却水通路（流体通路）が形成された断面扁平形状の管であり、その断面長径方向が空気の流れ方向と一致するようにヘッダタンク３に接合されている。
【００２４】
チューブ１は、空気の流れ方向に沿って延びる平坦面からなる一対の扁平面１０を有して構成されている。そして、チューブ１の扁平面１０の外側表面には、フィン２がろう付けにて接合されている。フィン２は板面を有する平板部２ａ及び隣り合う平板部２ａを繋ぐように湾曲した湾曲部２ｂを有するように波状に形成されたコルゲートフィンである。なお、フィン２の湾曲部２ｂがチューブ１の扁平面１０にろう付けされている。
【００２５】
フィン２の平板部２ａには、空気流れ方向と交差するように突出する突起部として複数個の鎧窓状のルーバ２ｃが形成されている。具体的には、複数個のルーバ２ｃは、平板部２ａの一部を切り起こすことで形成されている。このルーバ２ｃの縁に流れる空気を衝突させ先端効果によって空気との熱伝達率を増大させるようなっている。
【００２６】
ここで、チューブ１の扁平面１０との接合不良などを避けるために、ルーバ２ｃの両端部の位置は、チューブ１の扁平面１０と接合部位である湾曲部２ｂから離間している。そのため、フィン２には、ルーバ２ｃが設けられた部分である切り起こし部２ｄと、切り起こし部２ｄ以外の部分、つまりフィン２におけるルーバ２ｃの両端部とチューブ１の扁平面１０との間におけるルーバ２ｃが形成されていない部分である非切れ部２ｅとが存在する。
【００２７】
チューブ１における一対の扁平面１０のうち、一方の扁平面１０（図２における手前側の扁平面）には、外側表面（外壁面）に、空気が流通する外側に向かって突出する半球状の外側突起部１１が複数形成されている。この外側突起部１１は、フィン２の非切れ部２ｅを通過する空気の流れを乱す抵抗体として機能する。なお、一方の扁平面１０における外側突起部１１が形成された部位の内側表面は、外側に向かって凹んでいる。
【００２８】
また、チューブ１における一対の扁平面１０のうち、他方の扁平面１０（図２における奥側の扁平面）には、内側表面（内壁面）に、エンジン冷却水が流通する内側に向かって突出する半球状の内側突起部１２が複数形成されている。この内側突起部１２は、チューブ１内部を流れるエンジン冷却水の流れを乱す抵抗体として機能する。なお、他方の扁平面１０における内側突起部１２が形成された部位の外側表面は、内側に向かって凹んでいる。
【００２９】
本実施形態では、各突起部１１、１２における径や突出高さといった突出形状を、外側突起部１１および内側突起部１２それぞれで同様の形状としている。
【００３０】
図３は、チューブ１内を流れるエンジン冷却水の流れを説明する説明図である。図３に示すように、エンジン冷却水は、チューブ１の扁平面１０の内側表面から離れるに伴って温度差が拡大する。このような温度分布を持つエンジン冷却水は、チューブ１の内側表面に沿って流れるエンジン冷却水が内側突起部１２に衝突することで撹乱され、チューブ１の内側表面に沿って流れるエンジン冷却水と内側表面から離れて流れるエンジン冷却水とが入れ替えによって温度分布が縮小される。このため、チューブ１の扁平面１０の内側表面に内側突起部１２を設ける構成では、エンジン冷却水側の伝熱性能の向上を図ることができる。
【００３１】
ところが、チューブ１の扁平面１０の内側表面に内側突起部１２を設ける構成では、チューブ１内におけるエンジン冷却水の圧力損失ΔＰの増大を招くといった背反がある。
【００３２】
そこで、本実施形態では、チューブ１の扁平面１０における内側突起部１２の数を複数の外側突起部１１の数よりも少なくすることで、エンジン冷却水の圧力損失ΔＰの増大を抑制する構成としている。
【００３３】
各突起部１１、１２の具体的な配置形態について図４〜図６に基づいて説明する。図４は、ヒータコアの要部を示す正面拡大図であり、図５は図４のＡ−Ａ断面図である。また、図６は、外側突起部１１および内側突起部１２の配置形態を説明するための説明図であり、図６の（ａ）がチューブ１の斜視図を示し、（ｂ）が（ａ）におけるＢ矢視図を示し、（ｃ）が（ａ）におけるＣ矢視図を示している。
【００３４】
図４に示すように、複数の外側突起部１１は、チューブ１内を流れるエンジン冷却水の流体流れ方向（空気流れ方向の直交方向）に、フィン２における隣り合う湾曲部２ｂの間に挟まれるように、等間隔に並んで配置されている。
【００３５】
ここで、外側突起部１１は、扁平面１０に対する直交方向の突出高さＨが、非切れ部２ｅの非切れ部長さＬ以上となるように形成されている。具体的には、非切れ部長さＬに対する外側突起部１１の突出高さＨの比（Ｈ／Ｌ）を、ヒータコアの伝熱性能の向上を充分に図ることが可能な範囲（例えば、１．０〜３．５）に設定している。
【００３６】
一方、複数の内側突起部１２は、チューブ１内を流れるエンジン冷却水の流体流れ方向（空気流れ方向の直交方向）に等間隔に並んで配置されている。本実施形態の複数の内側突起部１２は、エンジン冷却水の流体流れ方向において、隣り合う内側突起部１２同士の間隔Ｐ２が、隣り合う外側突起部同士の間隔Ｐ１よりも広くなるように配置されている。
【００３７】
また、図５に示すように、複数の外側突起部１１は、チューブ１外側を流れる空気の空気流れ方向に、等間隔をあけて一列に並んで配置されている。一方、複数の内側突起部１２は、複数の外側突起部１１に対応して、チューブ１外側を流れる空気の空気流れ方向に、等間隔をあけて一列に並んで配置されている。
【００３８】
例えば、チューブ１の一方の扁平面１０に１６個の外側突起部１１を設けると共に、他方の扁平面１０に８個の内側突起部１２を設ける場合、図６に示すように、チューブ１の扁平面１０に流体流れ方向および空気流れ方向に沿って４個ずつ格子状に外側突起部１１を配置し、内側突起部１２を流体流れ方向に外側突起部１１よりも間隔を空けて配置する構成とする。
【００３９】
ここで、エンジン冷却水の流体流れ方向に隣り合う内側突起部１２同士の間隔について図７〜図９に基づいて説明する。図７は、エンジン冷却水の流体流れ方向に隣り合う内側突起部同士の間隔とチューブ１内を流れるエンジン冷却水の渦度との関係を示す図表であり、図８は、エンジン冷却水の流体流れ方向に隣り合う内側突起部同士の間隔とチューブ１内における圧力損失ΔＰとの関係を示す図表である。また、図９は、エンジン冷却水の流体流れ方向に隣り合う内側突起部同士の間隔を説明する説明図である。
【００４０】
図７に示すように、エンジン冷却水の流体流れ方向に隣り合う内側突起部１２同士の間隔Ｐ２が内側突起部１２におけるチューブ１内を流れる流体の流れ方向の寸法の２倍までの範囲（Ｐ２＜２ｄ）では、エンジン冷却水の渦度が略一定に維持される。なお、本実施形態では、内側突起部１２におけるチューブ１内を流れる流体の流れ方向の寸法が内側突起部１２の内径ｄに相当する。
【００４１】
また、図８に示すように、エンジン冷却水の流体流れ方向に隣り合う内側突起部１２同士の間隔Ｐ２が内側突起部１２の内径ｄの２倍までの範囲（Ｐ２＜２ｄ）では、内側突起部１２同士の間隔の縮小に伴って、チューブ１内の圧力損失が急激に増大する。
【００４２】
このように、エンジン冷却水の流体流れ方向に隣り合う内側突起部１２同士の間隔Ｐ２を内側突起部１２の内径ｄの２倍までの範囲とする場合、内側突起部１２同士の間隔を狭めたとしても、エンジン冷却水の撹乱効果に差異がなく、チューブ１内の圧力損失ΔＰが増大することとなる。
【００４３】
一方、図７に示すように、エンジン冷却水の流体流れ方向に隣り合う内側突起部１２同士の間隔Ｐ２が内側突起部１２の内径ｄの２倍以上となる範囲（Ｐ２≧２ｄ）では、内側突起部１２同士の間隔の拡大に伴って渦度が徐々に低下する。
【００４４】
また、図８に示すように、エンジン冷却水の流体流れ方向に隣り合う内側突起部１２同士の間隔が内側突起部１２の内径ｄの２倍以上となる範囲では（Ｐ２≧２ｄ）、チューブ１内の圧力損失が内側突起部１２同士の間隔Ｐ２の拡大に伴って徐々に低下する。
【００４５】
このように、エンジン冷却水の流体流れ方向に隣り合う内側突起部１２同士の間隔Ｐ２を内側突起部１２の内径ｄの２倍以上とする場合、内側突起部１２同士の間隔Ｐ２を拡大したとしても、エンジン冷却水の撹乱効果を得つつ、チューブ１内の圧力損失ΔＰを充分に低減させることができる。
【００４６】
このため、本実施形態では、図９に示すように、エンジン冷却水の流体流れ方向に隣り合う内側突起部１２同士の間隔Ｐ２を内側突起部１２の内径ｄの２倍以上離れた間隔に設定している。
【００４７】
以上説明した本実施形態のヒータコアによれば、チューブ１の一方の扁平面１０に複数の外側突起部１１を設けることで、チューブ１の周りを流れる空気を撹乱させて、チューブ１における空気側の伝熱性能の向上を図ることができる。
【００４８】
また、チューブ１の他方の扁平面１０に複数の内側突起部１２を設けることで、チューブ１内を流れるエンジン冷却水を撹乱させて、チューブ１におけるエンジン冷却水側の伝熱性能の向上を図ることができる。
【００４９】
加えて、内側突起部１２の数を外側突起部１１の数に比べて少ない構成とすることで、外側突起部１１に対応して内側突起部１２を設ける構成に比べて、内側突起部１２によるチューブ１内を流れるエンジン冷却水の圧力損失を低減することができる。
【００５０】
従って、本実施形態の構成によれば、ヒータコアにおける伝熱性能の低下を抑制しつつ、チューブ１内を流れる流体の圧力損失を低減することができる。
【００５１】
また、本実施形態では、エンジン冷却水の流体流れ方向に隣り合う内側突起部１２同士の間隔Ｐ２を内側突起部１２の内径ｄの２倍以上離れた間隔としているので、内側突起部１２によるエンジン冷却水の撹乱効果を得つつ、チューブ１内の圧力損失ΔＰを充分に低減させることができる。
【００５２】
なお、本実施形態では、チューブ１の扁平面１０に設けた複数の外側突起部１１の突出高さＨを、非切れ部長さＬ以上としているので、ルーバ２ｃが設けられていない非切れ部２ｅを流れる空気の通風抵抗を増大させることができる。この結果、フィン表面におけるルーバ２ｃが設けられていない非切れ部２ｅを流れる空気の風速、風量等を低減するとともに、ルーバ２ｃが設けられた切り起こし部２ｄを流れる空気の風速、風量等を増大させることができる。これにより、熱交換器の伝熱性能の向上効果を充分に得ることができる。
【００５３】
また、本実施形態では、外側突起部１１の突出高さＨを、１．０〜３．５といった適切な範囲に設定しているので、伝熱効率の悪化を招くことなく伝熱性能の向上効果を充分に得ることができる。
【００５４】
（第２実施形態）
次に、本発明の第２実施形態について図１０に基づいて説明する。図１０は、本実施形態に係る外側突起部１１および内側突起部１２の配置形態を説明するための説明図であり、図１０の（ａ）がチューブ１の斜視図を示し、（ｂ）が（ａ）におけるＤ矢視図を示し、（ｃ）が（ａ）におけるＥ矢視図を示している。
【００５５】
本実施形態のヒータコアは、チューブ１における外側突起部１１および内側突起部１２の配置形態が第１実施形態と相違している。本実施形態では、第１実施形態と同様または均等な部分についての説明を省略、または簡略化して説明する。
【００５６】
本実施形態では、複数の内側突起部１２を、チューブ１外側を流れる空気の空気流れ方向において隣り合う外側突起部１１同士の間隔よりも広い間隔を空けて等間隔に一列に並べて配置すると共に、エンジン冷却水の流れ方向においても隣り合う外側突起部１１同士の間隔よりも広い間隔を空けて等間隔に一列に並べて配置する。
【００５７】
例えば、チューブ１の一方の扁平面１０に１６個の外側突起部１１を設けると共に、他方の扁平面１０に８個の内側突起部１２を設ける場合、図１０に示すように、チューブ１の扁平面１０において、流体流れ方向および空気流れ方向に沿って４個ずつ格子状に外側突起部１１を配置する。そして、複数の内側突起部１２を流体流れ方向および空気流れ方向に沿って２個ずつ配置し、流体流れ方向および空気流れ方向において複数の内側突起部１２の成す列を、一列毎に半ピッチずつ交互にずらして千鳥状に配置する。
【００５８】
このように、複数の内側突起部１２を、千鳥状に配置する形態においても、第１実施形態と同様の作用効果を奏することができる。
【００５９】
（第３実施形態）
次に、本発明の第３実施形態について図１１に基づいて説明する。図１１は、本実施形態に係る外側突起部１１および内側突起部１２の配置形態を説明するための説明図であり、図１１の（ａ）がチューブ１の斜視図を示し、（ｂ）が（ａ）におけるＦ矢視図を示し、（ｃ）が（ａ）におけるＧ矢視図を示している。
【００６０】
本実施形態のヒータコアは、チューブ１における外側突起部１１および内側突起部１２の配置形態が第１、第２実施形態と相違している。本実施形態では、第１、第２実施形態と同様または均等な部分についての説明を省略、または簡略化して説明する。
【００６１】
本実施形態では、複数の外側突起部１１を、チューブ１の扁平面１０全体に配置するのに対して、複数の内側突起部１２を、チューブ１の扁平面１０全体のうち一部にだけ配置する構成としている。
【００６２】
例えば、図１１に示すように、内側突起部１２をエンジン冷却水の入口側（上流側）に配置し、エンジン冷却水の出口側（下流側）に配置しない構成とする。なお、本実施形態の内側突起部１２同士の間隔Ｐ２は、隣り合う外側突起部１１同士の間隔Ｐ１と同じ間隔としている。
【００６３】
このように、複数の内側突起部１２を、チューブ１の扁平面１０の全域に配置せず、一部に偏って配置することで、内側突起部１２の数を外側突起部１１の数よりも少なくし、チューブ１内の圧力損失ΔＰを充分に低減させることができる。
【００６４】
特に、本実施形態のように、内側突起部１２をエンジン冷却水の入口側に配置する構成では、チューブ１におけるエンジン冷却水の入口側でエンジン冷却水が撹乱されるので、エンジン冷却水の出口側（下流側）に内側突起部１２を配置する場合に比べて、チューブ１におけるエンジン冷却水側の伝熱性能の低下を抑制することができる。
【００６５】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変形可能である。
【００６６】
（１）上述の各実施形態では、チューブ１における外側突起部１１の配置形態をチューブ１の扁平面１０の全域に配置する構成としているが、内側突起部１２の数が外側突起部１１の数よりも少ない配置形態であれば、外側突起部１１の配置形態をチューブ１の扁平面１０の一部に配置する構成としてもよい。
【００６７】
（２）上述の各実施形態では、外側突起部１１および内側突起部１２それぞれを半球状の突起部で構成する例を説明したが、これに限定されない。例えば、図１２に示すように、外側突起部１１および内側突起部１２それぞれを、空気流れ方向に沿って長径となる半楕円体状の突起部で構成してもよい。なお、図１２は、外側突起部１１および内側突起部１２それぞれの形状の変形例を説明する説明図である。
【００６８】
（３）上述の各実施形態では、外側突起部１１をエンジン冷却水が流れる内側から空気が流れる外側に向かって扁平面１０の一部を隆起させることにより形成しているが、これに限定されない。例えば、外側突起部１１をチューブ１と別体で構成し、チューブ１の扁平面１０の外壁面に接合して設ける構成としてもよい。
【００６９】
同様に、内側突起部１２を空気が流れる外側からエンジン冷却水が流れる内側に向かって扁平面１０の一部を隆起させることにより形成しているが、これに限定されない。例えば、内側突起部１２をチューブ１と別体で構成し、チューブ１の扁平面１０の内壁面に接合して設ける構成としてもよい。
【００７０】
このように、チューブ１と外側突起部１１および内側突起部１２を別体とする構成とする場合、既存のチューブ１に外側突起部１１および内側突起部１２を接合すればよくチューブ１自体の加工を要しないので、熱交換器の生産性の向上を図ることができる。
【００７１】
（４）上述の各実施形態では、熱交換器のフィン２を波上に成形されたコルゲートフィンとする構成を例示したが、これに限定されず、例えば、図１３に示すように、フィン２を平板状に成形されたプレートフィンとしてもよい。
【００７２】
（５）上述の各実施形態では、フィン２の突起部をフィン２の平板部２ａの一部を切り起こすことにより形成された鎧窓状のルーバ２ｃで構成しているが、これに限定されない。フィン２の突起部としては、例えば、フィンの平板部２ａを折り曲げて形成した帯状のオフセット、フィンの平板部２ａに千鳥状に配置したピン等で構成してもよい。
【００７３】
（６）上述の各実施形態では、チューブ１とフィン２とはろう付けにより接合されているとしているが、これに限定されず、例えば、チューブ１を拡管することによりチューブ１とフィン２とを機械的に結合してもよい。
【００７４】
（７）上述の各実施形態では、車両用空調装置のヒータコアに本発明を適用したが、ヒータコアに限らず、例えば、ラジエータ、エバポレータ（蒸発器）、コンデンサ（凝縮器）等にも本発明は適用することができる。また、本発明は、車両用空調装置用の熱交換器に限らず他の装置の熱交換器に適用することができる。
【符号の説明】
【００７５】
１    チューブ
２    フィン
１０  扁平面
１１  外側突起部
１２  内側突起部
【図１】
0005589860.tif 000002
【図２】
0005589860.tif 000003
【図３】
0005589860.tif 000004
【図４】
0005589860.tif 000005
【図５】
0005589860.tif 000006
【図６】
0005589860.tif 000007
【図７】
0005589860.tif 000008
【図８】
0005589860.tif 000009
【図９】
0005589860.tif 000010
【図１０】
0005589860.tif 000011
【図１１】
0005589860.tif 000012
【図１２】
0005589860.tif 000013
【図１３】
0005589860.tif 000014